(57)【要約】【課題】  汎用性に優れ、かつ、簡易な構造で、撮影レンズ前のカバーガラスの結露を防止することができるデジタルカメラを提供する。【解決手段】  ズーム撮影レンズ３を駆動するズームモータ３５の軸の一端に、デジタルカメラ本体１内部の空気を循環させるファン３７を設けたデジタルカメラ。【選択図】  図３
2006010983.tif 000002
【特許請求の範囲】
【請求項１】
ズーム撮影レンズを駆動するズームモータの軸の一端に、デジタルカメラ本体内部の空気を循環させるファンを設けたことを特徴とするデジタルカメラ。
【請求項２】
ズーム撮影レンズの一部を移動させて焦点調整を行うフォーカスモータの軸の一端に、デジタルカメラ本体内部の空気を循環させるファンを設けたことを特徴とするデジタルカメラ。
【請求項３】
ズーム撮影レンズを駆動するズームモータの動力伝達機構の途中に、デジタルカメラ本体内部の空気を循環させるファンを設けたことを特徴とするデジタルカメラ。
【請求項４】
撮影レンズの一部を移動させて焦点調整を行うフォーカスモータの動力伝達機構の途中に、デジタルカメラ本体内部の空気を循環させるファンを設けたことを特徴とするデジタルカメラ。
【請求項５】
請求項１ないし４のいずれかに記載のデジタルカメラにおいて、ファンにより起こされた気流をカバーガラスの後面近傍に誘導するための、空気誘導部材を設けたことを特徴とするデジタルカメラ。
【請求項６】
請求項１ないし４のいずれかに記載のデジタルカメラにおいて、ファンにより起こされた気流をデジタルカメラ本体内部の少なくとも一つの発熱源近傍まで誘導する空気誘導部材を設けたことを特徴とするデジタルカメラ。
【請求項７】
請求項６に記載のデジタルカメラにおいて、発熱源はＤＣＤＣ回路素子であることを特徴とするデジタルカメラ。
【請求項８】
請求項６に記載のデジタルカメラにおいて、発熱源はＣＣＤであることを特徴とするデジタルカメラ。
【発明の詳細な説明】
【技術分野】
【０００１】
本発明は、防水機能を有するようにカメラボディを構成したデジタルカメラに関する。
【背景技術】
【０００２】
例えば、特許文献１には、ガラス面の汚れ防止機能を備えたカメラ保護筐体および監視カメラの保護方法を得ることを目的として、以下の技術が開示されている。
カメラに設けた降雨検知器が降雨の有無を検知し、降雨検知信号によりファンを回転させ、風取り入れ口から空気を取り込み風を起こす。ダクトがこの風をカメラが撮像するための前面ガラスの外部表面へ誘導し、前面ガラス風を形成し、降雨により前面ガラスに着いた水滴を除去する。さらに、水滴センサが水滴を検知し前面ガラスへの水滴の付着の有無を検知し、必要に応じてヒータにより風の温度を高め、水滴、結氷、雪等の検知と除去の精度を高める。本構成により、降雨の発生を自動検知し、前面ガラスに着いた水滴を自動的に除去し、良好な撮像を可能とし、監視の質・精度を高め、さらに保守を軽減化させる。
また、特許文献２には、大きな電力が不必要であり、またレンズ曇りの発生を常時良好に防止できるようにする事を目的として、以下の技術が開示されている。
テレビカメラを収納するカメラハウジングに曇り防止窓を設ける。この曇り防止窓では、外側窓ガラスと内側窓ガラスを、間隔部材を介して連結し、この二重の窓ガラスの間を真空状態としてシール材により密閉する。これによれば、外側窓ガラスと内側窓ガラスの間が断熱層として機能し、これにより内側窓ガラスの曇りが解消される。なお、上記断熱層には窒素ガスを封入してもよく、また乾燥空気で満たすようにしても良い。
【特許文献１】特開２０００−１７１８７８公報
【特許文献２】特開平９−４３７２３号公報
【発明の開示】
【発明が解決しようとする課題】
【０００３】
特許文献１記載の技術の場合には、ファンで起こした風を前面保護ガラスの前に誘導して前面ガラスの外側についた水滴などを除去するが、前面ガラス内側の曇り防止には効果がない。
また、特許文献２記載の技術の場合には、前面ガラスを２重にしているがコストアップになり、また、前面ガラス部の大きさが大きくなる欠点がある。撮影レンズの前を覆う窓は、傷が付きにくく平面度等の精度の出しやすいガラス製であることが望ましい。しかし、デジタルカメラの内部には作動時に熱を発生するＣＣＤや回路素子があるため、カメラ内部は高温になる。
カメラの内部の温度が上がってカメラの回りの温度が低い状態になると、撮影レンズの前に設けられているガラス製の窓（カバーガラス）は熱伝導率が高いため、カメラの回りの温度に影響されて温度が下がって、前記カバーガラスの内側に結露が生じて曇ってしまうことがある。内側に結露を起こした場合には簡単に拭き取ることができず、撮影ができなくなってしまうという問題が生じる。
本発明は、上述した欠点を解決するために、汎用性に優れ、かつ、簡易な構造で、撮影レンズ前のカバーガラスの結露を防止することができるデジタルカメラを提供することを目的とする。
【課題を解決するための手段】
【０００４】
上記目的を達成するために、請求項１記載の発明は、ズーム撮影レンズを駆動するズームモータの軸の一端に、デジタルカメラ本体内部の空気を循環させるファンを設けたデジタルカメラを最も主要な特徴とする。
請求項２記載の発明は、撮影レンズの一部を移動させて焦点調整を行うフォーカスモータの軸の一端に、デジタルカメラ本体内部の空気を循環させるファンを設けたデジタルカメラを最も主要な特徴とする。
請求項３記載の発明は、ズーム撮影レンズを駆動するズームモータの動力伝達機構の途中に、デジタルカメラ本体内部の空気を循環させるファンを設けたことを特徴とするデジタルカメラを最も主要な特徴とする。
請求項４記載の発明は、撮影レンズの一部を移動させて焦点調整を行うフォーカスモータの動力伝達機構の途中に、デジタルカメラ本体内部の空気を循環させるファンを設けたデジタルカメラを最も主要な特徴とする。
請求項５記載の発明は、請求項１ないし４のいずれかに記載のデジタルカメラにおいて、ファンにより起こされた気流をカバーガラスの後面近傍に誘導するための、空気誘導部材を設けたデジタルカメラを主要な特徴とする。
請求項６記載の発明は、請求項１ないし４のいずれかに記載のデジタルカメラにおいて、ファンにより起こされた気流をデジタルカメラ本体内部の少なくとも一つの発熱源近傍まで誘導する空気誘導部材を設けたデジタルカメラを主要な特徴とする。
請求項７記載の発明は、請求項６に記載のデジタルカメラにおいて、発熱源はＤＣＤＣ回路素子であるデジタルカメラを主要な特徴とする。
請求項８記載の発明は、請求項６に記載のデジタルカメラにおいて、発熱源はＣＣＤであるデジタルカメラを主要な特徴とする。
【発明の効果】
【０００５】
本発明によれば、ズーム撮影レンズを駆動するズームモータの軸の一端に、デジタルカメラ本体内部の空気を循環させるファンを設けたことにより、また、撮影レンズの一部を移動させて焦点調整を行うフォーカスモータの軸の一端に、デジタルカメラ本体内部の空気を循環させるファンを設けたことにより、また、ズーム撮影レンズを駆動するズームモータの動力伝達機構の途中に、デジタルカメラ本体内部の空気を循環させるファンを設けたことにより、また、撮影レンズの一部を移動させて焦点調整を行うフォーカスモータの動力伝達機構の途中に、デジタルカメラ本体内部の空気を循環させるファンを設けたことにより、所期の目的を達成することができる。
【発明を実施するための最良の形態】
【０００６】
以下、本発明の実施の形態を図面に従って説明する。
図１は本発明の実施の形態に係る防水型デジタルカメラの前方斜視図、図２は同じく後方斜視図を示す。デジタルカメラ本体１は、正面から見て左側が弾性部材で作られた右手グリップ部２で、その後方にはメモリーカード（図示せず）と電池（図示せず）を装着可能なカードスロット部（図示せず）と電池室（図示せず）を被う電池蓋１２が設けられている。
中央にはズーム撮影レンズ３が取り付けられており、その上方にはユーザが撮影範囲等を目視で確認するための光学ファインダ５、低照度での撮影等の場合に補助光を発するためのストロボ６が設けられている。上面には、カメラの各種モードを選択する回転型モードダイヤル７、回転型モードダイヤル７の中央にはカメラの電源をＯＮ／ＯＦＦする電源スイッチ８、シャッタボタン９、外部ストロボを取り付けるアクセサリーシュー１０が設けられている。
また、正面から見て右側が弾性部材で作られた左手グリップ部１１で、その後方には外部出力端子（図示せず）を被う端子蓋１３が設けられる。後面には、撮影画像を表示したり、撮影モードを表示したりするＬＣＤモニタ（画像表示装置）２１、ファインダ接眼部２２、ファインダＬＥＤ窓２３、ズームボタン２４、複数のモードスイッチ２５が設けられている。また、デジタルカメラ本体は、防水用のＯリング等を要所に用いて防水機能を持っている。
図３はズーム撮影レンズ３の光軸に沿う縦断面概略図である（その１）。上部には光学ファインダ５が、後面にはＬＣＤモニタ（画像表示装置）２１が設けられている。ズーム撮影レンズ３を通過した被写体からの光は、ＣＣＤ３０に到達して、撮像されて電気信号とされ、ＣＣＤ駆動ＩＣ等が搭載された回路基板３１に伝達されて回路処理が行われて画像信号となる。
ＣＣＤ３０は消費電力が大きく発熱量が大きい。ズーム撮影レンズ３の前面にはその保護と、防水機能のためにカバーガラス３２が設けられている。回路基板３３には、デジタルカメラの電源であるＤＣＤＣの回路素子３４が搭載されているが、発熱量が大きく放熱が必要である。
ズーム撮影レンズ３をズーム作動させる動力を発生するズームモータ３５の軸の一端には動力を伝達するギヤ３６が取り付けられ、軸の反対側にはカメラ内の空気を循環させるファン３７が取り付けられている。ズームモータ３５が作動すると、このファン３７により起こされるカメラ内の空気の流れは、空気誘導部材３８によりカバーガラス３２の後面３９に導かれる。
【０００７】
図４はズーム撮影レンズ３の光軸に沿う縦断面概略図である（その２）。図３と同じくズームモータ３５の軸の一端には動力を伝達するギヤ３６が取り付けられ、反対側にはカメラ内の空気を循環させるファン３７が取り付けられている。
ズームモータ３５が作動すると、このファン３７により起こされるカメラ内の空気の流れは、空気誘導部材４１により、カメラ内部の発熱源であるＤＣＤＣの回路素子３４の近傍まで誘導される。それにより、ＤＣＤＣの回路素子３４の熱が放熱される。ＤＣＤＣの回路素子３４としては、具体的にはトランスの発熱量が大きいので、前記空気誘導部材４１は、トランス近傍に配置されていることが望ましい。
図５はズーム撮影レンズ３の光軸に沿う縦断面概略図である（その３）。図３と同じくズームモータ３５の軸の一端には動力を伝達するギヤ３６が取り付けられ、反対側にはカメラ内の空気を循環させるファン３７が取り付けられている。
ズームモータ３５が作動すると、このファン３７により起こされるカメラ内の空気の流れは、空気誘導部材５１により、カメラ内部の発熱源であるＣＣＤ３０の近傍まで誘導される。それにより、ＣＣＤ３０の熱が放散される。
図６は別な実施例の撮影レンズ６０の光軸に沿う縦断面概略図である。撮影レンズ６０は単焦点であり、フォーカスモータ６１の軸の一端には動力を伝達するギヤ６２が取り付けられ、反対側にはカメラ内の空気を循環させるファン３７が取り付けられている。
フォーカスモータ６１が作動すると、このファン３７により起こされるカメラ内の空気の流れは、空気誘導部材３８によりカバーガラス３２の後面３９に導かれる。また、フォーカスモータ６１の場合も、図４、図５に示したズームモータ３５の場合と同様の作用をすることができる。
以上の例では、ズームモータ３５、フォーカスモータ６１の軸の一端に直接ファン３７を取り付けているが、回転力伝達機構の途中にファン３７を取り付けても良い。また、上記の例では、ファン３７により起こされるカメラ内の空気の流れをＤＣＤＣの回路素子３４の近傍まで誘導する空気誘導部材４１と、同様にカメラ内の空気の流れをＣＣＤ３０の近傍まで誘導する空気誘導部材５１を別々に設けたが、２つを結合して両方の発熱部材の近傍まで同時に空気を送る空気誘導部材を設けることも可能である。
【図面の簡単な説明】
【０００８】
【図１】本発明の実施の形態に係る防水型デジタルカメラの前方斜視図である。
【図２】本発明の実施の形態に係る防水型デジタルカメラの後方斜視図である。
【図３】ズーム撮影レンズ３の光軸に沿う縦断面概略図である（その１）。
【図４】ズーム撮影レンズ３の光軸に沿う縦断面概略図である（その２）。
【図５】ズーム撮影レンズ３の光軸に沿う縦断面概略図である（その３）。
【図６】別な実施例の撮影レンズ６０の光軸に沿う縦断面概略図である。
【符号の説明】
【０００９】
１  デジタルカメラ本体
３  ズーム撮影レンズ
５  ズームモータ
３７  ファン
【図１】
2006010983.tif 000003
【図２】
2006010983.tif 000004
【図３】
2006010983.tif 000005
【図４】
2006010983.tif 000006
【図５】
2006010983.tif 000007
【図６】
2006010983.tif 000008